Podtech/llm-jp-corpus-v4-ja_patent huggingface dataset:
【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
アルカノールと酸素と一酸化炭素と触媒を反応させて、ジアルキルカーボネートとアルキルクロロホルメートと塩酸と水と二酸化炭素と一酸化炭素を含む混合物を生じさせ、
上記混合物を３０〜１３０℃の温度で０．５〜１０時間の滞留時間流路１１０に通す
ことを含んでなるジアルキルカーボネートの製造方法。
【請求項２】
前記アルカノールがＣ1〜Ｃ12アルカノールを含む、請求項１記載の方法。
【請求項３】
アルカノールと酸素と一酸化炭素を（アルカノール０．５〜０．７）：（酸素０．０４〜０．０６）：（一酸化炭素０．８〜１．２）のモル比で反応させる、請求項１又は請求項２記載の方法。
【請求項４】
前記触媒が、鉄、銅、ニッケル、コバルト、亜鉛、ルテニウム、ロジウム、パラジウム、銀、カドミウム、レニウム、オスミウム、イリジウム、白金、金、水銀及びこれらの金属を１種以上含む組合せからなる群から選択される金属を含む、請求項１乃至請求項３のいずれか１項記載の方法。
【請求項５】
前記触媒が塩酸を含む、請求項１乃至請求項４のいずれか１項記載の方法。
【請求項６】
前記混合物を流路１１０に通すことが、流路１１０内で費やす総滞留時間の５０％以上の期間、５以上の長さ対容積比を有する１以上の部分に混合物を通すことを含む、請求項１乃至請求項５のいずれか１項記載の方法。
【請求項７】
さらに、前記反応混合物を流路１１０に通す前に、該混合物を凝縮させることを含む、請求項１乃至請求項６のいずれか１項記載の方法。
【請求項８】
アルカノールと酸素と一酸化炭素と触媒を反応させて、ジアルキルカーボネートとアルキルクロロホルメートと塩酸と水と二酸化炭素と一酸化炭素を含む混合物を生成させる手段と、
混合物からアルキルクロロホルメートを除去する手段と
を含んでなるジアルキルカーボネート製造用装置。
【請求項９】
アルカノールと酸素と一酸化炭素と触媒を反応させて、ジアルキルカーボネートとアルキルクロロホルメートと塩酸と水と二酸化炭素を含む混合物を生成させる反応器５０と、
アルキルクロロホルメートを除去する流路１１０と
を含んでなるジアルキルカーボネート製造用装置。
【請求項１０】
流路１１０が熱交換器又は１もしくは複数の保持容器１２０を含む、請求項９記載の装置。
【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
高親和性形のHSP90をモジュレート(修飾)する方法であって、該高親和性形とHSP90モジュレーターを接触させることにより該高親和性形のHSP90を修飾することを含む方法。
【請求項２】
低親和性形のHSP90より該高親和性形のHSP90に対して選択的である請求項1記載の方法。
【請求項３】
HSP90介在性疾患の治療または予防に用いる請求項1記載の方法。
【請求項４】
癌または腫瘍細胞中にみいだされる高親和性形のHSP90を提供し、該HSP90形を所定の化合物と接触させ、該化合物の該HSP90形を修飾する能力を測定または評価することを含むHSP90モジュレーターのスクリーニング方法。
【請求項５】
HSP90モジュレーターに高親和性の結合を示す腫瘍または癌細胞から得られる精製または単離されたHSP90調製物または複合体。
【請求項６】
該構造が約30nMまたはそれ以下の17-AAG IC50値を有する請求項5記載の精製または単離されたHSP90調製物または複合体。
【請求項７】
(a)請求項5に記載のHSP90調製物または複合体、または(b)請求項5に記載のHSP90調製物または複合体と結合する化合物を含む診断キット。
【請求項８】
所定の化合物と腫瘍または癌細胞にみいだされる特定の形のHSP90との結合を測定するアッセイ。
【請求項９】
競合結合アッセイである請求項8記載のアッセイ。
【請求項１０】
該競合結合アッセイがさらに該所定の化合物との結合に競合する標識HSP90リガンドメンバーを使用する請求項9記載のアッセイ。
【請求項１１】
該HSP90リガンドメンバーがビオチン化されている請求項10記載のアッセイ。
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
式Ｖ：
【化１】
2005520792.tif 000001
［式中、Ｒ1は、有機置換基であり、
Ｒ2、Ｒ3、Ｒ4およびＲ5は、それぞれ、互いに独立して、水素、またはその基に属する炭素原子もしくはヘテロ原子によって結合された無機もしくは有機置換基であるか、あるいはこれらの基の単数もしくは複数の対が、炭素原子および／またはヘテロ原子によって結合された架橋を形成してもよい］
で示されるピロールの製造方法であって、
式IIａ：
【化２】
2005520792.tif 000002
［式中、Ｒ1は、式Ｖの化合物について定義されたとおりであり、
Ｒxは、非置換もしくは置換アルキル、非置換もしくは置換アリール、非置換もしくは置換アルコキシ、または非置換もしくは置換アリールオキシである］
で示されるイミノホスホランを、式III：
【化３】
2005520792.tif 000003
［式中、基Ｒ2、Ｒ3、Ｒ4およびＲ5は、式Ｖの化合物について定義されたとおりである］
で示されるジオキソ化合物と、酸の存在下で反応させて、
必要ならば、出発材料中の官能基を保護された形態とし、必要ならば、保護されたいかなる基も適切な段階で除去する方法。
【請求項２】
Ｒ1が、低級アルキル、または特に下位式ＩＡもしくは下位式ＩＢ：
【化６】
2005520792.tif 000004
［式中、Ｒa'およびＲc'は、それぞれ、互いに独立して、水素もしくはヒドロキシル保護基であるか、またはＲa'およびＲc'は、一緒になって、架橋性ヒドロキシル保護基であり；Ｒb'（式ＩＡにのみ存在する）は、カルボキシル保護基である］
で示される基であり、
Ｒ2、Ｒ3、Ｒ4およびＲ5が、それぞれ、水素、低級アルキル、低級アルコキシカルボニル、フェニルアミノカルボニル、フェニル、ナフチルおよびフルオロフェニルから互いに独立して選ばれ、
式IIａのイミノホスホラン中のＲxが、好ましくは、低級アルキルまたはフェニルであって、
適切に置換された出発材料を用いる、式Ｖのピロールを製造するための請求項１に記載の方法。
【請求項３】
式IIａ：
【化７】
2005520792.tif 000005
［式中、Ｒ1は、下位式ＩＡ：
【化８】
2005520792.tif 000006
（式中、Ｒa'およびＲc'は、それぞれ、互いに独立して、水素またはヒドロキシル保護基であるか、あるいはＲa'およびＲc'は、一緒になって、架橋性ヒドロキシル保護基であり；Ｒb'は、カルボキシル保護基である）
で示される基であり；
Ｒxは、非置換もしくは置換アルキル、非置換もしくは置換アリール、非置換もしくは置換アルコキシ、または非置換もしくは置換アリールオキシである］
で示されるイミノホスホラン。
【請求項４】
請求項１〜３のいずれか一項に記載の製造方法を包含する、アトルバスタチンの製造方法であって、式Ｖのピロールにおいて、
Ｒ1が、請求項４に示されたとおりの式ＩＡ［Ｒa'およびＲc'は、それぞれ、互いに独立して、水素もしくはヒドロキシル保護基であるか、またはＲa'およびＲc'は、一緒になって、架橋性ヒドロキシル保護基であり；Ｒb'は、カルボキシル保護基である］の基であり、
Ｒ2が、イソプロピルであり、
Ｒ3が、フェニルアミノカルボニルであり、
Ｒ4が、フェニルであり、
Ｒ5が、４−フルオロフェニルであって、
適切に置換された出発材料を用い、必要ならば、保護基の除去および／またはラクトン環の開裂を含む方法。
【手続補正書】
【提出日】平成18年1月24日(2006.1.24)
【手続補正１】
【補正対象書類名】特許請求の範囲
【補正対象項目名】全文
【補正方法】変更
【補正の内容】
【特許請求の範囲】
【請求項１】
筐体を備えたテープストリップディスペンサであって、
（ａ）前記筐体が、頂部と、該頂部を通る縦方向中央の開口部と、該開口部を通して接近可能な内部の保持チャンバとを有し、
（ｂ）前記保持チャンバが横方向中心軸線を画定し、
（ｃ）前記縦方向中央の開口部が、前記横方向中心軸線に対し横方向に傾斜して互いに縦方向に離間する第１および第２の直線境界を有すること、
を特徴とするテープストリップディスペンサ。
【請求項２】
前記第１および第２の直線境界が、約１０°〜約３０°の角度で前記横方向中心軸線に対して個別に横方向に傾斜する、請求項１に記載のテープストリップディスペンサ。
【請求項３】
前記第１および第２の直線境界が互いに平行である、請求項２に記載のテープストリップディスペンサ。
【請求項４】
示差剥離テープストリップのＷスタックパッドから上重ねテープストリップを分配する方法であって、（ｉ）前記パッドが横方向中心軸線を画定し、（ｉｉ）前記パッドが、各テープストリップの第１の縦方向端部を直上の上重ねテープストリップおよび直下の下重ねテープストリップの第２の縦方向端部に整合させるように縦方向に逆にされた連続テープストリップを有し、（ｉｉｉ）前記パッドが、（ａ）第１の縦方向端部と第２の縦方向端部とを有する上重ねテープストリップと、（ｂ）該上重ねテープストリップの直下にあって、第１の縦方向端部と第２の縦方向端部とを有する中間テープストリップと、（ｃ）該中間テープストリップの直下にある下重ねテープストリップとを少なくとも備える、テープストリップ分配方法において、
（１）前記上重ねテープストリップの前記第２の縦方向端部を前記パッドから引き離して、該上重ねテープストリップを、該上重ねテープストリップの該第２の縦方向端部から該上重ねテープストリップの前記第１の縦方向端部に向けて漸進的に、前記中間テープストリップから剥がすステップと、
（２）前記上重ねテープストリップを前記中間テープストリップから完全に分離する前であって、該中間テープストリップの第２の縦方向端部セクションを前記下重ねテープストリップから剥がす前に、該上重ねテープストリップに接触して、該上重ねテープストリップを、前記パッドの前記横方向中心軸線に対して横方向に傾斜する出発線に沿って、前記中間テープストリップから一定して剥がすステップと、
（３）前記パッドから前記上重ねテープストリップを継続して引き出して、（ｉ）前記中間テープストリップの前記第２の縦方向端部セクションを前記下重ねテープストリップから剥離すること、および（ｉｉ）前記上重ねテープストリップを該中間テープストリップから完全に分離することを、連続的に行うステップと、
を連続的に含むことを特徴とするテープストリップ分配方法。
【請求項５】
前記パッドの上方で、前記下重ねテープストリップから剥離された前記中間テープストリップの前記第２の縦方向端部セクションを支持して、該中間テープストリップの後続の分配を容易にするステップをさらに含む、請求項４に記載のテープストリップ分配方法。
【請求項６】
前記出発線が約１０°〜約３０°の角度で前記パッドの前記横方向中心軸線に対して横方向に傾斜する、請求項４に記載のテープストリップ分配方法。
【手続補正書】
【提出日】平成18年3月17日(2006.3.17)
【手続補正１】
【補正対象書類名】特許請求の範囲
【補正対象項目名】全文
【補正方法】変更
【補正の内容】
【特許請求の範囲】
【請求項１】
（ａ）シート供給源からのシートを搬送するための、第１の速度を有する第１コンベア要素と、
（ｂ）該第１コンベア要素の近傍に位置決めされ、該第１コンベア要素から放れるシートを搬送するための、前記第１の速度よりも低速の第２の速度を有する第２コンベア要素と、
（ｃ）前記シートが前記第１コンベア要素から前記第２コンベア要素に移動する際に前記シートに係合するように位置決めされたシート撓め要素とを備え、
該シート撓め要素は、
前記シートを前記第２コンベア要素にフィードするシートフィードローラと、
該シートフィードローラと協働して、前記シートの後縁と前記第２コンベア要素との間に、前記第１コンベア要素からの後続のシートの前縁が内部にフィードされ得る隙間を生成させる整形ローラと、
を備えていることを特徴とするシートフィード装置。
【請求項２】
前記シートフィードローラおよび前記整形ローラが、前記シートに順次係合するように位置決めされていることを特徴とする請求項１記載のシートフィード装置。
【請求項３】
前記整形ローラが、前記シートフィードローラの後で前記シートに係合するように位置決めされていることを特徴とする請求項２記載のシートフィード装置。
【請求項４】
前記整形ローラは、全体として前記シートフィードローラの上方に位置決めされているが、該整形ローラの下縁が前記シートフィードローラの上縁よりも下方にあることを特徴とする請求項３記載のシートフィード装置。
【請求項５】
前記シートフィードローラが、前記整形ローラの直径よりも大径であることを特徴とする請求項４記載のシートフィード装置。
【請求項６】
前記シート撓め要素は、前記シートフィードローラの上方でかつ前記整形ローラの近傍に規制ブロックをさらに備えていることを特徴とする請求項４記載のシートフィード装置。
【請求項７】
前記シート撓め要素は、前記シートをカールさせることによって、該シートの後縁と前記第２コンベア要素との間に前記隙間を生成させることを特徴とする請求項１から６のいずれか１項記載のシートフィード装置。
【請求項８】
前記シート供給源が、一巻きのロールからの長尺印刷用紙がフィードされるカッタであることを特徴とする請求項１記載のシートフィード装置。
【請求項９】
前記第１コンベア要素の第１の速度は、前記長尺印刷用紙が前記カッタにフィードされる速度よりも大きいことを特徴とする請求項８記載のシートフィード装置。
【請求項１０】
前記カッタと前記ロールとの間に配置された少なくとも１本の方向変換バーを備え、該方向変換バーを回って前記長尺印刷用紙が走行し、該方向変換バーは、前記長尺印刷用紙とほぼ同一の平面内に配置され、かつ該長尺印刷用紙の進入方向に対して傾斜して配向され、前記方向変換バーは、圧縮空気が通過供給されるパーフォレーションを備えた中空パイプを有することを特徴とする請求項８記載のシートフィード装置。
【請求項１１】
シートフィード装置における列をなすシートを部分的に重ねる方法であって、
（ａ）シート供給源から１枚のシートを搬送し、
（ｂ）該シートを、シート撓め要素の第１および第２のローラに通して連続的にフィードし、この場合、該第１および第２のローラは、協働して前記シートの後部に係合して、該シートの後縁と搬送手段との間に隙間を生成させ、
（ｃ）後続のシートの前縁を前記隙間内にフィードする、
諸ステップを含むことを特徴とする前記方法。
【請求項１２】
前記ステップ（ｂ）における前記第１および第２のローラのうちの一方が、前記シートを前記搬送手段に沿ってフィードするシートフィードローラであることを特徴とする請求項１１記載の方法。
【請求項１３】
前記ステップ（ｂ）が、前記シートを、１個のシートフィードローラと１個の整形ローラとに順次通してフィードする工程を含むことを特徴とする請求項１１記載の方法。
【請求項１４】
前記シートフィードローラと前記整形ローラとが協働して、前記シートをカールさせて前記隙間を生成させることを特徴とする請求項１３記載の方法。
【請求項１５】
前記ステップ（ｃ）が、前記シートの速度を鈍らせて、前記後続シートの前縁が前記隙間内にフィードされるのを可能にする工程を含むことを特徴とする請求項１１から１４のいずれか１項記載の方法。
【請求項１６】
前記ステップ（ｃ）が、前記シートを第１コンベア要素から第２コンベア要素に搬送する工程を含み、該第２コンベア要素が、前記第１コンベア要素の速度よりも低速の速度を有することを特徴とする請求項１５記載の方法。
【請求項１７】
前記シートの撓めが、該シートが前記第１コンベア要素から前記第２コンベア要素に搬送される際に行なわれることを特徴とする請求項１６記載の方法。
【請求項１８】
部分的に重なったシートの列を印刷機へ搬送するシートフィード装置であって、
（ａ）前記部分的に重なったシートの列を印刷機へ搬送するためのコンベア要素を備え、該コンベア要素は、互いに枢着された少なくとも二つの部分を備え、該二つの部分のうちの一つが前記部分的に重なったシートの列の供給源に枢着され、
（ｂ）該部分的に重なったシートの列の供給源に対する枢着点の周りで前記コンベア要素を昇降させるために、前記コンベア要素に連結されたリフティング要素を備えており、
前記コンベア要素が下降位置にあるときに、該コンベア要素の、前記部分的に重なったシートの列の供給源に枢着された部分から遠い側の部分が、これら部分間の枢着点の周りで上方に旋回せしめられることを特徴とするシートフィード装置。
【請求項１９】
前記リフティング要素が、前記コンベア要素の、前記部分的に重なったシートの列の供給源に枢着された部分に連結されていることを特徴とする請求項１８記載のシートフィード装置。
【請求項２０】
前記リフティング要素が油圧リフト部材であることを特徴とする請求項１９記載のシートフィード装置。
【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
流体を容器に送出する配量装置であって、
充填ポート（１３）および容器識別子キーを有する容器（１）を使用時に受ける容器保持手段（２、２’）を備え、容器保持手段（２、２’）は、所定の識別子キーを有する容器を容器保持手段（２、２’）の再充填位置に完全に挿入できるよう配置構成された機械的キーイング手段を含み、さらに、
前記再充填位置で流体を容器（１）の充填ポート（１３）に送出する配量出口（１８）と、
流体を配量出口（１８）に送出する流体送出手段（２９、３２、３３）と、
開始位置から動作可能で、動作可能な状態にて流体送出手段（２９、３２、３３）に連結され、それにより自身の前記開始位置からの動作に応答して流体送出手段が流体を送出するようにする起動部材（２０）とを備える配量装置において、
起動部材（２０）の開始位置からの動作を阻止する第１位置と、起動部材（２０）が動作できるようにする第２位置とを有する配量ロック（９、９’、１６）と、
配量ロックを前記第２位置へと運んで配量ロックを解放し、したがって流体を送出できるようにするよう、容器を容器保持手段（２、２’）の再充填位置に挿入する間に、容器（１）によって動作する可動解放部材（３）を含む配量ロック（９、９’、１６）を解放する解放手段（３、４、５、７）とを備えることを特徴とする配量装置。
【請求項２】
前記配量ロック（９、９’、１６）が少なくとも１つの可動ロック部材（９、９’）を有し、可動ロック部材は第１位置において起動部材（２０）の動作を妨げることができ、第２位置では起動部材（２０）の動作を可能にすることを特徴とする請求項１に記載の配量装置。
【請求項３】
前記可動ロック部材が、またはその各々が、解放手段（３、４、５、７）の動作に応答して前記第１位置と第２位置との間で回転するよう配置構成され、旋回自在に装着された揺りアーム（９、９’）であることを特徴とする請求項２に記載の配量装置。
【請求項４】
可動解放手段が、旋回自在に装着され、挿入された容器（１）と相互作用するよう配置構成された第１部分（４）と、配量ロック手段（９、９’、１６）と相互作用するよう配置構成された第２部分（７）とを有するバー部材（３、４、７）であることを特徴とする請求項１乃至３のいずれか１項に記載の配量装置。
【請求項５】
流体送出手段が作業室（２９）およびピストン（２５）を含み、作業室が流体供給手段（３４）および配量通路（１８）と通じていることを特徴とする請求項１乃至４のいずれか１項に記載の配量装置。
【請求項６】
オペレータが直接手動操作するために、起動部材（２０）が少なくとも部分的に装置の外部に露出していることを特徴とする請求項１乃至５のいずれか１項に記載の配量装置。
【手続補正書】
【提出日】平成18年3月17日(2006.3.17)
【手続補正１】
【補正対象書類名】特許請求の範囲
【補正対象項目名】全文
【補正方法】変更
【補正の内容】
【特許請求の範囲】
【請求項１】
規則的な容器壁が、最も厚い点において最も薄い点における厚さの多くとも３倍の厚さであるプラスチック材料を含む容器。
【請求項２】
押出ブロー成形またはインジェクションストレッチブロー成形による、請求項１に記載の容器の製造方法。
【手続補正２】
【補正対象書類名】明細書
【補正対象項目名】００６３
【補正方法】変更
【補正の内容】
【００６３】
ブロー金型の均一かつ効果的な温度調節を確実にするために、ベース領域および外部領域を別々に温度調節し得る。
【手続補正３】
【補正対象書類名】明細書
【補正対象項目名】００８０
【補正方法】変更
【補正の内容】
【００８０】
適当なモノフェノールは、例えば、フェノール、アルキルフェノール（例えば、クレゾール、ｐ−ｔ−ブチルフェノール、ｐ−ｎ−オクチルフェノール、ｐ−イソ−オクチルフェノール、ｐ−ｎ−ノニルフェノールおよびｐ−イソ−ノニルフェノール）、ハロゲンフェノール（例えば、ｐ−クロロフェノール、２，４−ジクロロフェノール、ｐ−ブロモフェノールおよび２，４，６−トリブロモフェノール）ならびにそれらの混合物である。
【手続補正４】
【補正対象書類名】明細書
【補正対象項目名】０１１２
【補正方法】変更
【補正の内容】
【０１１２】
一軸伸長粘度を測定するために、円筒状のプラスチック材料（実効寸法：実質的に４〜５ｍｍの直径、実質的に２０〜２５ｍｍの長さ）をクランプジョーによって端で固定し、そして伸長レオメーターに取り付ける。
【手続補正５】
【補正対象書類名】明細書
【補正対象項目名】０１２５
【補正方法】変更
【補正の内容】
【０１２５】
図５は、表２で再現する壁厚の推移をグラフに示す。壁厚（ｍｍ）を測定ポイント１〜４６に対してプロットしている。実施例のポリカーボネートから作られるボトルは規則的な推移を示す（正方形の記号）。比較例のポリカーボネートから作られるボトルは不規則な推移を示す（三角形の記号）。
以下に、本発明の好ましい態様を記載する。
１．規則的な容器壁が、最も厚い点において最も薄い点における厚さの多くとも３倍の厚さであるプラスチック材料を含む容器。
２．規則的な容器壁が、最も厚い点において最も薄い点における厚さの多くとも２．６倍の厚さである上記１に記載の容器。
３．規則的な容器壁が、最も厚い点において最も薄い点における厚さの多くとも２．２倍の厚さである上記１に記載の容器。
４．容器がボトルである上記１〜３のいずれかに記載の容器。
５．容器がウォーターボトルである上記４に記載の容器。
６．プラスチック材料がポリカーボネートである上記１〜５のいずれかに記載の容器。
７．押出ブロー成形またはインジェクションストレッチブロー成形による、上記１〜６のいずれかに記載の容器の製造方法。
【手続補正書】
【提出日】平成17年6月30日(2005.6.30)
【手続補正１】
【補正対象書類名】特許請求の範囲
【補正対象項目名】全文
【補正方法】変更
【補正の内容】
【特許請求の範囲】
【請求項１】
疼痛を処置するための薬学的組成物であって、
６−ヒドロキシオキシモルホンまたはその薬学的に受容可能な塩を、痛覚脱失を誘導するに十分な量で含み、患者に非経口投与するために処方されている、薬学的組成物。
【請求項２】
請求項１に記載の薬学的組成物であって、該薬学的組成物が、注入または静脈内点滴によって投与される、薬学的組成物。
【請求項３】
請求項１に記載の薬学的組成物であって、前記投与が、６−ヒドロキシオキシモルホンまたはその薬学的に受容可能な塩の血漿中レベルを少なくとも約０．０５ｎｇ／ｍＬにまで上昇させるに十分である、薬学的組成物。
【請求項４】
請求項１に記載の薬学的組成物であって、前記投与が、６−ヒドロキシオキシモルホンまたはその薬学的に受容可能な塩の血漿中レベルを少なくとも約０．０７５ｎｇ／ｍＬにまで上昇させるに十分である、薬学的組成物。
【請求項５】
疼痛を処置するための薬学的組成物であって、
６−ヒドロキシオキシモルホンまたはその薬学的に受容可能な塩と、１種以上のキャリアと、１種以上の希釈剤と、１種以上の賦形剤とを含む薬学的組成物を、痛覚脱失を誘導するに十分な量で含み、患者に非経口投与するために処方されている、薬学的組成物。
【請求項６】
ヒトを含む動物に非経口送達するための溶液中に６−ヒドロキシオキシモルホンまたはその薬学的に受容可能な塩を含む、薬剤。
【請求項７】
疼痛を処置するための薬学的組成物であって、
６−ヒドロキシオキシモルホンとオキシモルホン、またはその薬学的に受容可能な塩を、痛覚脱失を誘導するに十分な量で含み、患者に非経口投与するために処方されている、薬学的組成物。
【手続補正書】
【提出日】平成17年6月13日(2005.6.13)
【手続補正１】
【補正対象書類名】特許請求の範囲
【補正対象項目名】全文
【補正方法】変更
【補正の内容】
【特許請求の範囲】
【請求項１】
雄哺乳動物におけるテストステロンの血清レベルを増加させる方法であり、該方法は、ｃｉｓ−クロミフェンおよびｔｒａｎｓ−クロミフェンまたはそのアナログまたはその薬学的に受容可能な塩もしくは溶媒和物、ならびに必要に応じて１つ以上の薬学的に受容可能な希釈剤、アジュバント、キャリアまたは賦形剤を含む組成物の有効量を該哺乳動物に投与する工程を包含し、ここでｔｒａｎｓ−クロミフェン対ｃｉｓ−クロミフェンの比率は、７１／２９  ｗ／ｗよりも大きい、
方法。
【請求項２】
請求項１に記載の方法であって、前記組成物は、有効量のｔｒａｎｓ−クロミフェンまたはそのアナログまたはその薬学的に受容可能な塩もしくは溶媒和物ならびに必要に応じて１つ以上の薬学的に受容可能な希釈剤、アジュバント、キャリアまたは賦形剤から本質的になる、
方法。
【請求項３】
組成物であって、０％から約２９％ｗ／ｗのｃｉｓ−クロミフェンおよび約１００％〜約７１％のｔｒａｎｓ−クロミフェンまたはそのアナログまたはその薬学的に受容可能な塩もしくは溶媒和物ならびに必要に応じて１つ以上の薬学的に受容可能な希釈剤、アジュバント、キャリアまたは賦形剤を含む、組成物。
【請求項４】
組成物であって、ｃｉｓ−クロミフェンおよびｔｒａｎｓ−クロミフェンまたはそのアナログまたはその薬学的に受容可能な塩もしくは溶媒和物ならびに必要に応じて１つ以上の薬学的に受容可能な希釈剤、アジュバント、キャリアまたは賦形剤を含み、ここで、ｔｒａｎｓ−クロミフェン対ｃｉｓ−クロミフェンの比率は、７１／２９より大きい、
組成物。
【手続補正書】
【提出日】平成17年6月17日(2005.6.17)
【手続補正１】
【補正対象書類名】特許請求の範囲
【補正対象項目名】全文
【補正方法】変更
【補正の内容】
【特許請求の範囲】
【請求項１】
有効成分として、ｌ−ｔｈｒｅｏ異性体を実質的に含まないＤ−ｔｈｒｅｏ−メチルフェニデートを含有する腫瘍学的状態から生じる疲労の軽減用医薬製剤。
【請求項２】
有効成分として、ｌ−ｔｈｒｅｏ異性体を実質的に含まないＤ−ｔｈｒｅｏ−メチルフェニデートを含有する腫瘍学的状態の治療の施与から生じる疲労の軽減用医薬製剤。
【請求項３】
有効成分として、ｌ−ｔｈｒｅｏ異性体を実質的に含まないＤ−ｔｈｒｅｏ−メチルフェニデートを含有する腫瘍学的状態から生じる神経行動学的緩徐化の軽減用製剤。
【請求項４】
有効成分として、ｌ−ｔｈｒｅｏ異性体を実質的に含まないＤ−ｔｈｒｅｏ−メチルフェニデートを含有する腫瘍学的状態の治療の施与から生じる神経行動学的緩徐化の軽減用製剤。
【請求項５】
有効成分として、ｌ−ｔｈｒｅｏ異性体を実質的に含まないＤ−ｔｈｒｅｏ−メチルフェニデートを含有する腫瘍学的状態の治療の認識に関する副作用の軽減用製剤。
【請求項６】
有効成分として、ｌ−ｔｈｒｅｏ異性体を実質的に含まないＤ−ｔｈｒｅｏ−メチルフェニデートを含有する閉経期の症状の治療用製剤。
【請求項７】
前記メチルフェニデートが製薬学的に許容できる塩の形態にある、請求項１〜６のいずれかに記載の製剤。
【請求項８】
前記腫瘍学的状態が、充実性腫瘍および非充実性腫瘍よりなる群から選択される癌である、請求項１〜５のいずれかに記載の製剤。
【請求項９】
前記腫瘍学的状態が充実性腫瘍である、請求項１〜５のいずれかに記載の製剤。
【請求項１０】
前記腫瘍学的状態の前記治療が化学療法もしくは放射線治療である、請求項２または４記載の製剤。
【請求項１１】
前記腫瘍学的状態の前記治療が化学療法である、請求項２または４記載の製剤。
【請求項１２】
前記腫瘍学的状態の前記治療が、鎮痛薬の投与、化学療法、放射線治療もしくは外科手術である、請求項５記載の製剤。
【請求項１３】
前記腫瘍学的状態の前記治療が鎮痛薬の投与である、請求項５記載の製剤。
【請求項１４】
前記鎮痛薬がオピオイド鎮痛薬である、請求項１３記載の製剤。
【請求項１５】
前記認識に関する副作用が、鎮静、低下した認識機能、大抑うつ障害もしくは神経行動学的緩徐化である、請求項５記載の製剤。
【請求項１６】
前記認識に関する副作用が、鎮静、低下した認識機能もしくは神経行動学的緩徐化である、請求項１５記載の製剤。
【請求項１７】
前記認識に関する副作用が鎮静である、請求項１５記載の製剤。
【請求項１８】
閉経期の前記症状が低下した認識機能である、請求項６記載の製剤。
【請求項１９】
閉経期の前記症状が血管運動の不安定性である、請求項６記載の製剤。
【請求項２０】
閉経期の前記症状が神経質である、請求項６記載の製剤。
【請求項２１】
閉経期の前記症状が精神的抑うつである、請求項６記載の製剤。
【請求項２２】
閉経期の前記症状が興奮性である、請求項６記載の製剤。
【請求項２３】
閉経期の前記症状が疲労である、請求項６記載の製剤。
【請求項２４】
閉経期の前記症状が無関心である、請求項６記載の製剤。
【請求項２５】
閉経期の前記症状が短期記憶の障害である、請求項６記載の製剤。
【請求項２６】
前記Ｄ−ｔｈｒｅｏ−メチルフェニデートが、患者の睡眠パターンを妨害することもしくは食思不振の挙動を引き起こすことなく有効な治療を生じさせる、請求項１〜６のいずれかに記載の製剤。
【手続補正書】
【提出日】平成17年12月15日(2005.12.15)
【手続補正１】
【補正対象書類名】特許請求の範囲
【補正対象項目名】請求項４
【補正方法】変更
【補正の内容】
【請求項４】
スライダ（４）によって操作されない接点薄板が、接点範囲側を二重接点舌片として形成した固定接点薄板（６）であり、接点ばね（７）として形成された、スライダ（４）によって操作される接点薄板の応力により、両接点舌板が接触状態で互いに独立して曲がることができることを特徴とする、請求項１〜３の少なくとも一つに記載のスイッチ。
【手続補正書】
【提出日】平成18年3月20日(2006.3.20)
【手続補正１】
【補正対象書類名】特許請求の範囲
【補正対象項目名】全文
【補正方法】変更
【補正の内容】
【特許請求の範囲】
【請求項１】
エラストマー性フィルム及び該フィルムの片面または両面に押出積層された不織ウェブからなる通気性の増分延伸弾性複合材料であって、該エラストマー性フィルムが、その中に増分延伸により形成された平均孔径が約１０μｍから約１００μｍのマクロ孔のランダムパターンを有し、かつ該エラストマー性フィルムが、孔形成用フィラーに隣接する微細空隙形成のために、増分延伸に際し該フィルムを微孔質にするのに不十分な量の孔形成用フィラーを含んでいることを特徴とする通気性の増分延伸弾性複合材料。
【請求項２】
該フィルム各面に不織ウェブを有している請求項1記載の複合材料。
【請求項３】
約６０ｐｓｉの圧力で加圧したとき、約１０ｃｃ／ｍｉｎ／ｃｍ２以上の通気性を示す請求項１または２記載の複合材料。
【請求項４】
約２５％以下の永久歪とともに、約２００％以上の伸縮性を示す請求項１または２記載の複合材料。
【請求項５】
エラストマー性フィルムが、エラストマー性ブロック共重合体、エラストマー性メタロセンオレフィン重合体もしくは共重合体、エラストマー性ポリウレタン、エラストマー性ポリシロキサン、またはこれらの混合物からなるものである請求項１または２記載の複合材料。
【請求項６】
エラストマー性フィルムが、エラストマー性スチレン系ブロック共重合体からなるものである請求項５記載の複合材料。
【請求項７】
エラストマー性フィルムが、ポリ（スチレン−ブタジエン−スチレン）ブロック共重合体、ポリ（スチレン−イソプレン−スチレン）ブロック共重合体、ポリ（スチレン−エチレン−ブチレン−スチレン）ブロック共重合体、またはこれらの組み合わせからなるものである請求項６記載の複合材料。
【請求項８】
エラストマー性フィルムが、エラストマー性スチレン系ブロック共重合体とエラストマー性メタロセンポリエチレン共重合体とのブレンドからなるものである請求項６記載の複合材料。
【請求項９】
エラストマー性フィルムが、単層フィルムである請求項１または２記載の複合材料。
【請求項１０】
エラストマー性フィルムが、多層フィルムからなるものである請求項１または２記載の複合材料。
【請求項１１】
エラストマー性フィルムが、その各面にポリオレフィンキャップ層が共押出された、エラストマー性スチレンブロック共重合体を含有するコア層からなるものである請求項１０記載の複合材料。
【請求項１２】
不織ウェブまたは不織ウェブ類が、それぞれスパンボンド法ポリオレフィンからなるものである請求項１または２記載の複合材料。
【請求項１３】
各不織ウェブの重量が、約４０ｇ／ｍ２未満である請求項１または２記載の複合材料。
【請求項１４】
各不織ウェブの重量が、約１２ｇ／ｍ２である請求項１または２記載の複合材料。
【請求項１５】
エラストマー性フィルムが、エラストマー性スチレン系ブロック共重合体とエラストマー性メタロセンポリエチレン共重合体とのブレンドを含有し、かつエラストマー性フィルムが、その各面で不織スパンボンド法ポリオレフィンウェブに押出積層されている請求項１または２記載の複合材料。
【請求項１６】
前記請求項のいずれかに記載の複合材料からその少なくとも一部が形成されている衣類。
【請求項１７】
前記請求項のいずれかに記載の複合材料からその少なくとも一部が形成されている使い捨て用品。
【請求項１８】
オムツである請求項１７記載の使い捨て用品。
【請求項１９】
マクロ孔が、約１０μｍから約５０μｍ、より好ましくは約１５μｍから約３５μｍの平均孔径を有する請求項１、２または１５記載の複合材料。
【請求項２０】
マクロ孔の密度が、約５から約５００／平方インチ、好ましくは約１０から約１００／平方インチ、より好ましくは約２５から約７５／平方インチである請求項１、２または１５記載の複合材料。
【請求項２１】
エラストマー性フィルムが、約１０重量％未満の孔形成用フィラー、好ましくは約５重量％未満の孔形成用フィラー、より好ましくは約１重量％未満の孔形成用フィラーを含有している請求項１、２または１５記載の複合材料。
【請求項２２】
エラストマー性フィルムが、約２０重量％未満の孔形成用フィラーを含有している請求項１、２または１５記載の複合材料。
【請求項２３】
請求項１、２または１５記載の通気性の弾性複合材料を製造する方法であって、エラストマー性フィルムを該フィルムの片面または両面で、不織ウェブに押出積層して、該エラストマー性フィルムに不織ウェブ（類）を強固に結合し、そして、得られた積層体を増分延伸して、該エラストマー性フィルムの中にマクロ孔のランダムパターンを形成することを特徴とする製造方法。
【請求項２４】
前記押出積層を、約５０ポンド／線インチを超えるニップ圧力で行う請求項２３記載の方法。
【請求項２５】
前記増分延伸が、横方向（ＣＤ）噛み合い延伸を含む請求項２３記載の方法。
【請求項２６】
前記ＣＤ噛み合い延伸において、噛み合いロールの係合深さが約０．１２インチ以上である請求項２５記載の方法。
【請求項２７】
約６０ｐｓｉの圧力で加圧したとき、前記複合材料が、約１０ｃｃ／ｍｉｎ／ｃｍ２以上の通気性を示す請求項２３記載の方法。
【請求項２８】
前記複合材料が、約２５％以下の永久歪とともに、約２００％以上の伸縮性を示す請求項２３記載の方法。
【手続補正書】
【提出日】平成18年1月31日(2006.1.31)
【手続補正１】
【補正対象書類名】特許請求の範囲
【補正対象項目名】全文
【補正方法】変更
【補正の内容】
【特許請求の範囲】
【請求項１】
ａ．ガス状の又は気化しうる炭化水素類及び水を水素、一酸化炭素及び別の改質器生成物に変換するための改質触媒を有する加熱された蒸気改質段階（１）であって、前記蒸気改質段階（１）が改質触媒を収容するための環状空間として構成されているジャケット空間を有する中空体として、好ましくは中空円筒として構成されており、かつ加熱装置（４）がジャケット空間中に配置されており；
ｂ．水素、一酸化炭素及び過剰の水蒸気からなり、蒸気改質段階から流れ出ている混合物の接触転化のための、蒸気改質段階（１）に後接続された少なくとも１つの段階（２ａ，２ｂ）（シフト−段階）であって、前記の（１又は複数の）転化段階（２ａ，２ｂ）が相応する触媒を収容するための環状空間を有する中空体として構成されており；及び
ｃ．転化生成物の残留−一酸化炭素含量の触媒による減少のための（１又は複数の）転化段階（２ａ，２ｂ）に後接続された精密精製段階（３）であって、前記の精密精製段階（３）が、相応する触媒を収容するための環状空間を有する中空体として構成されており、かつ精密精製段階（３）の環状空間が精密精製段階側の転化段階（２ｂ）の環状空間に直接接続されている
を含む水素発生装置において、
蒸気改質段階側の転化段階（２ａ）の環状空間が、全ての段階（１，２，２ａ，３）に亘って貫通した環状空間を形成しながら、蒸気改質段階（１）の環状空間に直接接続されている
ことを特徴とする、水素発生装置。
【請求項２】
加熱装置（４）がバーナーとして構成されている、請求項１記載の装置。
【請求項３】
貫通した環状空間の断面幅が中空体の外径の約２〜２０％である、請求項１又は２記載の装置。
【請求項４】
環状空間の少なくとも１つの中の触媒が、ハニカム構造中、好ましくは流路を限定している（波形の）金属シート上に配置されている、請求項１から３までのいずれか１項記載の装置。
【請求項５】
物質交換を改善するために流路の間に穿孔が設けられている、請求項４記載の装置。
【請求項６】
中空体内部の水素及び改質器生成物の主流動方向が本質的にはその軸に平行に方向付けられている、請求項１から４までのいずれか１項記載の装置。
【請求項７】
（１又は複数の）中空体の内部で少なくとも１つの流路（５）が設けられている、請求項１から６までのいずれか１項記載の装置。
【請求項８】
流路（５）が環状空間である、請求項７記載の装置。
【請求項９】
炭化水素類を供給するため及び予熱するための流路（５）が、（１又は複数の）転化段階（２ａ，２ｂ）及び精密精製段階（３）から来ているガス状生成物の流動方向に対向して構成されている、請求項７又は８記載の装置。
【請求項１０】
少なくとも（１又は複数の）転化段階（２ａ，２ｂ）と蒸気改質段階との間に及び場合により転化段階（２ｂ）と精密精製段階（３）との間にも間接熱交換器が設けられており、これ（これら）の熱交換器を経て蒸気改質に必要な水が、（１又は複数の）転化段階（２ａ，２ｂ）から及び場合により精密精製段階（３）からも来ているガス状生成物に対して向流で導かれている、請求項１から９までのいずれか１項記載の装置。
【請求項１１】
精密精製段階（３）が選択的に選択酸化段階（ＳｅｌＯｘ−段階）としてか又はメタン化段階として構成されている、請求項１から９までのいずれか１項記載の装置。
【請求項１２】
ＳｅｌＯｘ−段階に、精密精製段階（３）の環状空間の周囲に均一に配置された空気供給（９）が設けられている、請求項１１記載の装置。
【請求項１３】
空気供給（９）が、分配されて配置された出口ノズルを有する管路として構成されている、請求項１２記載の装置。
【請求項１４】
（１又は複数の）転化段階（２ａ，２ｂ）を冷却するための冷却媒体のための、外側で取り囲んでいる流れ供給ケーシング（１０）の（１又は複数の）転化段階（２ａ，２ｂ）であり、その際に冷却媒体が好ましくは、蒸気形で蒸気改質段階（３）に供給可能である水又は炭化水素類である、特に請求項１から１３までのいずれか１項記載の、装置。
【請求項１５】
流れ供給ケーシング（１０）が、冷却媒体のための供給接続（１３）及び導出接続（１４）を有し、かつ選択的に（１又は複数の）転化段階（２ａ，２ｂ）内部の貫流方向に対して並流又は向流で貫流可能に構成されている、請求項１４記載の装置。
【請求項１６】
導出接続側の流れ供給ケーシング（１０）が、出発物質入口側の改質段階（１）と液圧で結合されている、請求項１４又は１５記載の装置。
【請求項１７】
選択的に流れ供給ケーシング（１０）の供給接続（１３）及び／又は導出接続（１４）上で、冷却媒体の質量流量調節のための制御弁（１５）が設けられている、請求項１４から１６までのいずれか１項記載の装置。
【請求項１８】
（１又は複数の）転化段階（２ａ，２ｂ）の環状空間の下流の端部で、（１又は複数の）温度センサ（１７）が配置されており、この（これらの）センサが冷却媒体の質量流量調節のために上位にある制御装置（１６）を経て制御弁（１５）と結合されている、請求項１から１７までのいずれか１項記載の装置。
【請求項１９】
中空円筒形に形成された（１又は複数の）転化段階（２ａ，２ｂ）の内部に、好ましくは及び選択的に水により及び／又は炭化水素類により貫流可能である別の冷却媒体路（１６）が配置されている、請求項１から１８までのいずれか１項記載の装置。
【手続補正書】
【提出日】平成18年2月20日(2006.2.20)
【手続補正１】
【補正対象書類名】特許請求の範囲
【補正対象項目名】全文
【補正方法】変更
【補正の内容】
【特許請求の範囲】
【請求項１】
シャバサイトの骨組種を有し、Ｘ２Ｏ３：(ｎ)ＹＯ２、
(式中、Ｘは３価元素であり、Ｙは４価元素であり、ｎは１００より大きい)
のモル関係を含む組成を有する多孔質結晶質物質。
【請求項２】
シャバサイトの骨組種を有し、Ｘ２Ｏ３：(ｎ)ＹＯ２：(ｍ)Ｒ：(ｘ)Ｆ：ｚＨ２Ｏ、
(式中、Ｘは３価元素であり、Ｙは４価元素であり、ｎは１００より大きく、Ｒは指示剤であり、ｍは１５乃至３５０の範囲であり、ｚは０乃至１０の範囲であり、ｘは７乃至１７５の範囲である)
のモル関係を含む組成を有する多孔質結晶質物質。
【請求項３】
(ａ)水、３価元素Ｘの酸化物、４価元素Ｙの酸化物、弗化物イオン及び指示剤(Ｒ)、の供給原を含有し、多孔質結晶質物質を生成することができる混合物を調製する工程であり、Ｒが、Ｎ−アルキル−３−キヌクリジノール、Ｎ,Ｎ,Ｎ−トリアルキル−１−アダマンタアンモニウムカチオン類及びＮ,Ｎ,Ｎ−トリアルキル−エキソアミノノルボルナンから成る群から選ばれる工程、
(ｂ)前記物質の結晶が生成されるまで１００乃至２２５℃の温度を含む十分な条件下で前記混合物を維持する工程及び
(ｃ)工程(ｂ)から前記結晶質物質を回収する工程、
を含む、請求項１または２に記載の多孔質結晶質物質を合成する方法。
【請求項４】
オキシジェネート変換条件下で、有機オキシジェネート化合物を請求項１または２に記載の多孔質結晶質物質を含有する触媒と接触させる工程を含む、オレフィンを生成させる方法。
【手続補正書】
【提出日】平成17年5月13日(2005.5.13)
【手続補正１】
【補正対象書類名】明細書
【補正対象項目名】特許請求の範囲
【補正方法】変更
【補正の内容】
【特許請求の範囲】
【請求項1】  開始端部及び終端部を有するリンクからなり、前記リンクは、各々が各増幅器への入力信号パワーよりも高い出力パワーを有する信号を出力する複数の光増幅器を含み、各増幅器は、少なくとも部分的に動作状態に依存した形状を有する利得スペクトルによる特性を有し、前記動作状態は、増幅器への入力パワーを含む、増幅多波長マルチチャンネル光伝送システムにおいて、システムの性能を調整する方法は、
a）リンクの終端部で光信号の特性を検出する行程と、
b）リンクの終端部でOSNRを最大にするように前記複数の増幅器を制御する行程とからなり、
前記複数の増幅器を制御する行程がリンクにおける連続した増幅器の各々の出力部でOSNRを測定して最大にする行程を含むことを特徴とする方法。
【請求項2】  前記複数の増幅器を制御する行程は、リンクにおける各増幅器からの出力信号のパワーの偏差を最小にする行程からなることを特徴とする請求項1記載の方法。
【請求項3】  出力信号のパワーの偏差を伝播の方向に連続して最小にする行程からなることを特徴とする請求項2記載の方法。
【請求項4】  リンクにおける増幅器毎に増幅器の出力のスペクトルの少なくとも一部の出力信号レベルおよびノイズレベルをモニタしたり測定する行程を有することを特徴とする請求項１記載の方法。
【請求項5】  a）増幅器の出力に接続された主信号送信ラインから増幅器の出力スペクトルの一部の方向を変更する行程と、
b）リンクの各増幅器からの出力スペクトルの各出力信号のピークおよび谷を測定する手段にスペクトルの方向が変更された部分を入力させる行程と、
からなることを特徴とする請求項４記載の方法。
【請求項6】  リンクの終端部でOSNRを最大にするように前記複数の増幅器を制御する行程は、最小のOSNRを有するチャネルが最大化されるまで増幅器の利得スペクトルを調整する行程を有することを特徴とする請求項1記載の方法。
【請求項7】  増幅器の利得スペクトルを調整する行程は、増幅器における、利得チルト、入力信号レベル、入力信号スペクトルの輪郭、ポンプ光波長、ポンプパワー及び能動ファイバの反転レベルを含むパラメータの少なくとも1つを変化させる行程を有することを特徴とする請求項６記載の方法。
【請求項8】  リンクの終端部でOSNRを最大にするように前記複数の増幅器を制御する行程は、
a）リンクの終端部でOSNRを測定する行程と、
b）最低のチヤネルのOSNRを最大にする行程と、
からなることを特徴とする請求項1記載の方法。
【請求項9】  最低のチヤネルのOSNRを最大にする行程は、リンクの増幅器の利得スペクトルを変更する行程から成ることを特徴とする請求項８記載の方法。
【請求項10】  リンクの増幅器の利得スペクトルを変更する行程は、増幅器における、利得チルト、入力信号レベル、入力信号スペクトルの輪郭、ポンプ光波長、ポンプパワー及び能動ファイバの反転レベルを含むパラメータの少なくとも一つを変化させる行程からなることを特徴とする請求項９記載の方法。
【請求項11】  各々が入力部および出力部を有する複数の光増幅器と、1の増幅器の出力部を別の増幅器の入力部に接続する導波路とを有する光伝送システムにおける光リンクの性能を調整する方法であって、各増幅器は、波長依存性出力パワースペクトルを呈し、
前記増幅器の出力を前記増幅器の下流に位置する装置に入力する前に各増幅器の前記出力パワースペクトルを平坦化する行程を有することを特徴とする方法。
【請求項12】  最低信号のノイズ対光信号比をノイズ比出力信号チャネルに対して最適化する工を更に含むことを特徴とする請求項１１記載の方法。
【請求項13】  コントロールループを備え、光伝送システムのリンクの一部を形成し且つ少なくとも1つの光信号のために入力部および出力部を有する能動または受動光部品であって、入力部での複数の信号は、入力パワースペクトルによって特性が表され、出力パワースペクトルによって特徴が表される出力部に複数の信号を提供し、前記コントロールループの働きによって出力パワースペクトルが入力パワースペクトルに対して平坦化されることを特徴とする部品。
【請求項14】  出力パワースペクトルの形状をモニタして変更する手段からなることを特徴とする請求項１３記載の部品。
【請求項15】  複数の出力信号の各々は、信号のピーク振幅と信号波長でのノイズ振幅との間の差として定義されるOSNRによって特性が表され、更に、全信号のOSNRの間の偏差は最小値であり、出力パワースペクトルは比較的平坦であることを特徴とする請求項１３記載の部品。
【請求項16】  複数の能動または受動の光部品から成る光伝送システムのリンクであって、入力パワースペクトルを有する複数の信号は、リンクの開始部での入力であり、出力パワースペクトルを有する複数の信号は、リンクの終端部での出力であり、出力パワースペクトルは、入力パワースペクトルよりも平坦な形状を有し、前記リンクは、
a）リンクの終端部で光信号の特性を検出し、
b）リンクの終端部でOSNRを最大にするように前記部品の少なくともいくつかを前記伝送システムの動作の際に制御するコントローラを含んでいることを特徴とする光伝送システムのリンク。
【請求項17】  複数の能動または受動光部品は、光導波路によって各部品の入力部および出力部に相互接続される、光増幅器と、少なくとも1つの別の光増幅器と、WDMと、WADMと、光クロス接続とからなり、各部品からの出力パワースペクトルは、前記部品に対する入力されたパワースペクトルと、前記各部品によって提供される等化スペクトル及び利得スペクトルの少なくとも一方との関数であることを特徴とする請求項１６記載のリンク。
【請求項18】  複数の能動または受動の光部品から成る光伝送システムのリンクであって、入力パワースペクトルを有する複数の信号は、リンクの開始部での入力であり、出力パワースペクトルを有する複数の信号は、リンクの終端部での出力であり、出力パワースペクトルは、入力パワースペクトルよりも平坦な形状を有し、複数の能動または受動光部品は、光導波路によって各部品の入力部および出力部に相互接続される、光増幅器と、少なくとも1つの別の光増幅器と、WDMと、WADMと、光クロス接続とからなり、各部品からの出力パワースペクトルは、前記部品に対する入力されたパワースペクトルと、前記各部品によって提供される等化スペクトル及び利得スペクトルの少なくとも一方との関数であり、出力の信号及びノイズをモニタすることができる装置に出力の少なくとも一部を伝搬させる部品の少なくとも1つの出力に結合される光カプラと、出力のOSNRを最小にするために利得スペクトルまたは等化スペクトルを変更する手段と、を更に有することを特徴とするリンク。
【請求項19】  光カプラは無色のカプラであることを特徴とする請求項１８記載のリンク。
【請求項20】  前記伝送システムはコントロールループを更に有し、よって前記出力パワーが前記コントロールループによって生じる形状を有することを特徴とする請求項１６記載のリンク。
【請求項21】  前記コントロールループはフィードバックループであることを特徴とする請求項２０記載のリンク。